(57)【特許請求の範囲】
【請求項１】
左右一対の駆動輪と、該駆動輪に支持された車体とを有し、該車体には、圃場に植えられた作物の茎葉部を挟持して該作物を引き抜く引抜装置と、前記車体の前端部には前記茎葉部を分草する分草装置とが設けられた茎葉処理機において、
前記車体の前部に左右一対の接地輪が設けられ、該接地輪の車軸に前記分草装置が上下動可能に枢支されていることを特徴とする茎葉処理機。
【請求項２】
前記接地輪と分草装置の相対高さ位置が調整自在とされている請求項１記載の茎葉処理機。
【請求項３】
前記接地輪は、圃場の畝の裾野において該畝を左右から挟持するガイド輪として設けられている請求項１または２記載の茎葉処理機。
【発明の詳細な説明】
【０００１】
【発明の属する技術分野】
本発明は、農作物である甘藷、馬鈴薯、タマネギ、ビート等の根菜類の収穫を行う茎葉処理機に関する。
【０００２】
【従来の技術】
この種の茎葉処理機として、特開昭８−２２８５４５号公報や実用新案登録第２５３０１５８号公報等に記載のものが公知である。
前記従来のものは、左右一対の駆動輪と、該駆動輪に支持された車体とを有し、該車体には、前記畝に植えられた作物の茎葉部を挟持して該作物を引き抜く引抜装置と、前記茎葉部を分草する分草装置とが設けられており、その分草装置には、接地するソリ体を有するものであった。
【０００３】
【発明が解決しようとする課題】
前記従来のものでは、ソリ体が車体前部の重量を支承していたため、摺動抵抗が大きかった。そのため、大きな駆動動力が必要となり、またソリ体の磨耗が激しくなると言う問題があった。
そこで、本発明は、ソリ体で車体前部の重量を支承しないようにして、前記問題点を解決した茎葉処理機を提供することを目的とする。
【０００４】
【課題を解決するための手段】
前記目的を達成するため、本発明は、次の手段を講じた。即ち、本発明の特徴とするところは、左右一対の駆動輪と、該駆動輪に支持された車体とを有し、該車体には、前記畝に植えられた作物の茎葉部を挟持して該作物を引き抜く引抜装置と、前記車体の前端部には前記茎葉部を分草する分草装置とが設けられた茎葉処理機において、前記車体の前部に左右一対の接地輪が設けられ、該接地輪の車軸に前記分草装置が上下動可能に枢支されている点にある。
【０００５】
前記構成の本発明によれば、車体前部の重量は接地輪で支承され、該接地輪は転動するものであるから、従来のソリ体に比べ、移動抵抗が少なくなる。
前記接地輪と分草装置の相対高さ位置を調整自在とするのが好ましい。
このような構成とすることにより、分草装置と地面との間隔調整が容易になり、分草装置の接地圧力を調整できる。
【０００６】
前記接地輪は、圃場の畝の裾野において該畝を左右から挟持するガイド輪として設けることができる。このような構成とすることにより、畝に沿って移動するときの操向安定性が向上する。
【０００７】
【発明の実施の形態】
以下、本発明の実施の形態を図面に基づき詳述する。
図１において、本発明の茎葉処理機は、左右一対の駆動輪１を有する。この駆動輪１は、圃場に形成された畝を跨ぐように配置され、該駆動輪１により車体２が支持されている。
【０００８】
前記車体２は、前方下方に傾斜した傾斜部３と、該傾斜部３の後部に水平状に設けられた水平部４とで、側面視「へ」の字状に形成されている。
前記車体２の水平部４の下部に位置するように前記駆動輪１が配置されている。水平部４の後部にエンジン５が搭載され、該エンジン５の動力が前記駆動輪１に伝達されるよう構成されている。前記水平部４には、ハンドル６が後方に延設されている。前記水平部４の上面に茎葉収集部７が設けられている。
【０００９】
前記車体２の傾斜部３の上面側に、畝に植えられた作物の茎葉部を挟持して上方後方に搬送しつつ、該作物を引き抜く引抜装置８が設けられている。この引抜装置８は、左右一対の挟持ベルト９を有し、該挟持ベルト９間に茎葉部を挟持して、後方上方に搬送する。この挟持ベルト９は、前記エンジン５からの動力によって駆動される。前記引抜装置８の後端下方に、該引抜装置８から排出される茎葉部を収集し且つ側方に排出する前記茎葉収集部７が位置している。
【００１０】
前記引抜装置８の前端上部に掻込み装置１０が設けられている。この掻込み装置１０は、左右一対の掻込みベルト１１を有し、該ベルト１１の外周面には、掻込み突起１２が設けられている。この掻込みベルト１１も前記エンジン５の動力で駆動されている。この掻込みベルト１１の突起１２により、作物の茎葉部を掻込んで前記引抜装置８の挟持ベルト９間に茎葉部を案内する。
【００１１】
前記車体２の傾斜部３の前端部には、分草装置１３が設けられている。この分草装置１３は、畝上に倒れた茎葉部を起こして前記掻込み装置１０に茎葉部を案内するものである。
更に前記車体２の傾斜部３には、前記引抜装置８の前端より少し後方位置に、畝の上面を転動する左右一対の押さえローラ１４が、「ハ」の字状に配置されている。この押さえローラ１４近傍位置で前記引抜装置８の下方に扱き装置１５が設けられている。扱き装置１５は、左右一対の棒状体を左右方向所定間隔をおいて水平状に配置してなる。前記押さえローラ１４は、茎葉部が引き抜かれるとき地中の馬鈴薯等の根部、球根が地面から引き抜かれないように押圧するものであり、また、扱き装置１５は、左右一対の棒状体間に茎葉部を挟んで、上昇してくる根部を扱き落とすものである。
【００１２】
また、前記車体２の傾斜部３の前端部には、左右一対の接地輪１６が設けられている。この接地輪１６は、車体２前部の重量を支承して畝の溝を転動するよう配置されている。この接地輪１６は、傾斜部３の前部に設けられた車軸１７に回動自在に支持されている。この接地輪１６は、鉄車輪、合成樹脂製車輪、中実ゴムタイヤ、空気入りタイヤ等で構成されている。
【００１３】
前記車軸１７に前記分草装置１３が上下動可能に枢支されている。即ち、分草装置１３の下部部材１８の後端が前記車軸１７に上下動可能に枢支され、該下部部材１８の前後方向中途部に上方に突出するガイド棒１９が設けられ、該ガイド棒１９は車体２側からのブラケット２０に上下動自在に支持されている。このガイド棒１９に下部部材１８を下方に付勢するスプリング２１が套嵌されている。しかし、下部部材１８は、接地しないようにナット２２によって下方位置が規制されている。このナット２２の調整により、接地輪１６と下部部材１８の上下方向の相対高さが調整可能である。
【００１４】
尚、接地輪１６と前記押さえローラ１４との相対高さも、畝の高さに応じて調整可能とされている。
前記構成の茎葉処理機によれば、車体２前部の重量は接地輪１６で支承されるので、従来のようなソリ体で支承するものに比べて、移動抵抗が減少し、また、ソリ体の摩耗等を心配する必要がなくなる。特に、路上走行のときに優れた効果を発揮する。また、畝にフィルムが被覆されたマルチの場合、従来の接地するソリ体では、ソリ体がフィルムに引っ掛かり、破損させる恐れがあったが、接地輪１６を設けたものでは、そのおそれがない。
【００１５】
また、接地輪１６の近傍に分草装置１３が設けられているので、分草装置１３によって茎葉部が案内されるため、茎葉部が接地輪１６やその車軸１７に絡みつくのが防止される。
尚、前記接地輪１６を畝の裾野において該畝を左右から挟持するガイド輪として構成すれば、畝に沿って進行させるときの操向安定性が向上する。
【００１６】
図２に示すものは、他の実施の形態である。この形態では、分草装置１３は上下動せず、固定的に設けられている。
図３、４に示すものは、分草装置１３と接地輪１６との相対高さを調整自在としたものであり、分草装置１３の下部部材１８を、筒部材２３に対して出し入れ自在として、ネジ２４の締めつけ解除で上下動可能となし、接地輪１６に対する高さを調整自在としたものである。
【００１７】
尚、本発明は、前記の各実施の形態に限定されるものではない。
【００１８】
【発明の効果】
本発明によれば、車体の前部を接地輪で支承しているので、従来のソリ体で支承するものに比べ、移動抵抗が減少するので、駆動動力の馬力を小さなものにすることができる。また、ソリ体の摩耗等が生じないのでメンテナンスが容易になる。
【図面の簡単な説明】
【図１】図１は本発明の実施の形態を示し、茎葉処理機の側面図である。
【図２】図２は本発明の他の実施の形態を示し、茎葉処理機の斜視図である。
【図３】図３は本発明の他の実施の形態を示し、茎葉処理機の側面図である。
【図４】図４は図３の正面図である。
【符号の説明】
１  駆動輪
２  車体
８  引抜装置
１３  分草装置
１６  接地輪
【図１】
0003623878.tif 000002
【図２】
0003623878.tif 000003
【図３】
0003623878.tif 000004
【図４】
0003623878.tif 000005